(57)【要約】【課題】２つの光学部材の間の空間からゴミを効率よく除去できるようにする。【解決手段】コンデンサレンズ１３とペンタプリズム１６との間の空間は、四方をプリズムボックス８の壁部で囲まれた空間であり、その一長辺を形成する壁部には、３つの空気孔８ｌ，８ｃ，８ｒが設けられている。いずれか１つの孔から上記空間に空気を吹き込むと、空気は空間内を流通して他の２つの孔から排出され、空間内のゴミも外部に排出される。吹き込み孔を変更しつつ吹き込み作業を繰り返すことで、空間内のあらゆる箇所のゴミを除去できる。【選択図】図２
2009271180.tif 000002
【特許請求の範囲】
【請求項１】
複数の光学部材を積層して保持部材に保持し、互いに対向する２つの光学部材の間に、前記保持部材の壁部によって周囲を囲まれた空間が形成されるファインダ装置において、
前記保持部材の壁部には、前記空間と外部とを連通する３以上の空気孔が設けられ、いずれかの空気孔から前記空間に空気を吹き込むと、他の空気孔から空気が排出されるよう構成したことを特徴とするファインダ装置。
【請求項２】
前記空間は長方形形状とされ、前記３以上の空気孔は、前記空間の一長辺を形成する壁部において、その長辺方向に並ぶように配置されていることを特徴とする請求項１に記載のファインダ装置。
【請求項３】
前記３以上の空気孔は、前記長辺の中心部分に設けられる中心孔と、該中心孔に対して対称位置に設けられる一対の孔を少なくとも含むことを特徴とする請求項２に記載のファインダ装置。
【請求項４】
前記３以上の空気孔は、前記複数の光学部材の積層方向において、前記２つの光学部材間の空間と同位置に設けられていることを特徴とする請求項１〜３のいずれか１項に記載のファインダ装置。
【請求項５】
請求項１〜４のいずれか１項に記載のファインダ装置を有するカメラ。
【発明の詳細な説明】
【技術分野】
【０００１】
本発明は、ゴミ対策を講じたファインダ装置およびカメラに関する。
【背景技術】
【０００２】
カメラのファインダ装置を構成する光学部品にゴミが付着すると、そのゴミがファインダ像と重なって視認されるおそれがある。特に焦点面に近い光学部品に付着したゴミは目立つため、撮影者に不快感を与える。ファインダ構成部品のうちユーザによる交換が可能な部材や、ミラーボックスに面した部位に付着したゴミは、ブロア等を用いて除去することができるが、ファインダ装置内の閉鎖された空間に面した部位に付着したゴミは、ファインダ装置を分解しないと除去できななかった。
【０００３】
この問題に対し、上記閉鎖空間に高圧空気を導いてゴミを排除できるようにしたファインダ装置がある（例えば、特許文献１，２参照）。これらのファインダ装置では、２つの光学部材の間の空間が、周囲をファインダ保持部材で囲まれた閉鎖空間とされ、この閉鎖空間に空気を送り込むための空気孔が保持部材に設けられている。空気孔を介して閉鎖空間に高圧空気を送り込み、他の空気孔から空気を排出することで、閉鎖空間内のゴミを除去する。その後、全ての空気孔を塞ぐことで、閉鎖空間内への新たなゴミの侵入を防止する。
【０００４】
【特許文献１】特開平１１−１０９４４３号公報
【特許文献２】特開２００１−１３５４８号公報
【発明の開示】
【発明が解決しようとする課題】
【０００５】
しかしながら、特許文献１や特許文献２の図７の構成では、空気孔が閉鎖空間の角部近傍の２箇所にしか設けられておらず、中心部のゴミが除去されにくい。特許文献２の図５のように空気流動方向変更部材２８を設けることで、中心側にも空気を送ることができるが、空気流動方向変更部材には逆に空気の流れを妨げる作用もあり、当該部材の裏面側ではゴミが排出されにくく溜まり易い。
【課題を解決するための手段】
【０００６】
本発明は、複数の光学部材を積層して保持部材に保持し、互いに対向する２つの光学部材の間に、保持部材の壁部によって周囲を囲まれた空間が形成されるファインダ装置に適用される。保持部材の壁部には、空間と外部とを連通する３以上の空気孔が設けられ、いずれかの空気孔から上記空間に空気を吹き込むと、他の空気孔から空気が排出されるよう構成される。
長方形形状の空間において、上記３以上の空気孔が、空間の一長辺部分において、その長辺方向に並ぶように配置してもよい。
３以上の空気孔が、長辺の中心部分に設けられる中心孔と、中心孔に対して対称位置に設けられる一対の孔を少なくとも含んでいてもよい。
３以上の空気孔が、複数の光学部材の積層方向において、２つの光学部材間の空間と同位置に設けられていてもよい。
本発明に係るカメラは、上述のファインダ装置を有して成る。
【発明の効果】
【０００７】
本発明によれば、ファインダの空間内のゴミを効率よく外部に除去することが可能となる。
【発明を実施するための最良の形態】
【０００８】
図１〜図７により本発明の一実施の形態を説明する。
図１は本実施形態におけるデジタル一眼レフカメラの構成を示す断面図である。１はカメラ本体を構成する後ボディ、２は同前ボディである。前ボディ２は、交換レンズ（不図示）が装着されるレンズマウント３やミラーボックスを構成するとともに、ペンタユニットＰＵを保持する。ミラーボックス内に配置されたミラーユニット４は、主ミラー４ａおよびサブミラー４ｂを含み、撮影光路に挿入される待機位置と、撮影光路から退避する撮影位置との間で回動可能とされる。
【０００９】
図１のようにミラーユニット４が待機位置にあるとき、撮影レンズの透過光束の一部は、主ミラー４ａで反射されてペンタユニットＰＵに導かれ、ペンタユニットＰＵを構成するペンタプリズム１６から射出した光が接眼レンズ１８〜２０を介して観察される。接眼レンズのうちレンズ１９は、光軸方向に移動可能とされ、その移動により視度調整がなされる。これらのペンタユニットＰＵおよび接眼レンズ１８〜２０にてファインダ装置が構成される。
【００１０】
一方、主ミラー４ａを透過した一部の光束は、サブミラー４ｂで反射されて焦点検出モジュール５に導かれ、焦点検出に寄与する。不図示の制御部は、焦点検出モジュール５の出力に基づき、ＡＦ駆動ユニット８０を介して撮影レンズの合焦光学系をフォーカシング駆動する。撮影が指示されると、ミラーユニット４が撮影位置に跳ね上げられ、撮影レンズの透過光束は、シャッタ６の開口を通過して撮像素子７に導かれる。
なお、２２〜２５は、それぞれカメラボディの外郭を形成する上カバー、前カバー、背面カバーおよび底カバーである。
【００１１】
図２はペンタユニットＰＵの分解斜視図、図３は組立後の正面図である。
ペンタユニットＰＵは、主ミラー４ａの反射光軸方向に積層された複数の構成部品９〜１６を、保持部材としてのプリズムボックス８に保持して成る。プリズムボックス８を前ボディ２の上部に取り付けることで、ペンタユニットＰＵが前ボディ２に一体化される。
【００１２】
フォーカシングスクリーン９は、スクリーン押さえばね１０を介してプリズムボックス８に支持される。フォーカシングスクリーン９の上には、スクリーン上にＡＦエリアを表示するための拡散型液晶１１が配置されている。拡散型液晶１１の上には、ファインダ視野範囲を決定する第１視野枠１２およびコンデンサレンズ１３が順に配置され、更にスペーサ１４および第２視野枠１５を介してペンタプリズム１６が配置される。
【００１３】
コンデンサレンズ１３は、歪曲収差を補正するとともに、ピント面からの拡散光をアイポイントに集光させる役割を果たすもので、第１視野枠１２およびプリズムボックス８の壁によってカメラ左右方向に位置決めされ、さらにスペーサ１４によってカメラ前後方向に位置決めされる。スペーサ１４は、ペンタプリズム１６とコンデンサレンズ１３との間に密閉空間を形成する。
【００１４】
図１のプリズム１７は、ファインダ内表示のための光をペンタプリズム１６に入射させるためのもので、その入射光は、第２視野枠１５によってマスクされた表示領域に投影される。なお、ペンタプリズム１６には、遮光のための塗装が表面に施され、塗装の一部はスペーサ１４で形成された密閉空間に近接している。
【００１５】
ペンタプリズム１６の上にはペンタ押さえ板２７が配置され、このペンタ押さえ板２７とプリズムボックス８との間に左右一対のペンタ押さえばね２８を介在させることで、上述した各部品がばね２８の付勢力によってプリズムボックス８に押圧支持される。
【００１６】
次に、図４〜図７も参照してペンタユニットＰＵのゴミ対策について説明する。
コンデンサレンズ１３とペンタプリズム１６との間の空間ＳＰは、四方をプリズムボックス８の壁部で囲まれた矩形の閉鎖空間とされ、組立時にこの空間ＳＰ内に微細なゴミが侵入すると、そのゴミがコンデンサレンズ１３の上面（射出面）や、ペンタプリズム１６の下面（入射面）に付着することがある。これらの面はフォーカシングスクリーン９、つまり焦点面に近いため、付着したゴミがファインダ観察時に比較的くっきり見えてしまい、撮影者が不快感を抱くおそれがある。
【００１７】
そこで本実施形態では、空間ＳＰ内侵入したゴミを除去可能な構成とすべく、プリズムボックス８の壁部に、空間ＳＰの内外を連通する３つの空気孔８ｌ，８ｃ，８ｒを設けた。これらの空気孔８ｌ，８ｃ，８ｒは、いずれもプリズムボックス８の４方向の壁部のうち、ファインダ画面の一方の長辺に対応する壁部に設けられる。本例では、空気孔８ｌ，８ｃ，８ｒがカメラ前方の壁部に設けられる。
【００１８】
中央の孔８ｃは空間ＳＰの左右方向の中心に位置し、左右の孔８ｌ，８ｒは、中心よりも左右側の壁に近い位置に、左右対称に設けられる。なお、コンデンサレンズ１３の上面が凸面であるため、空間ＳＰは中央部が左右部と比べて上下方向に狭く、そのため中央孔８ｃは左右孔８ｌ，８ｒと比べてやや小さくされる。これにより各８ｌ，８ｃ，８ｒの空気通過速度をほぼ同一とすることができる。
【００１９】
図３から分かるように、正面から見たときに各孔８ｌ，８ｃ，８ｒを介してコンデンサレンズ１３の上部が見えている。これは、各孔８ｌ，８ｃ，８ｒが空間ＳＰと同一の高さ位置、更に言えばコンデンサレンズ１３の上面（射出面）とほぼ同等の高さ位置に設けられることを意味する。
【００２０】
カメラ製造時、ペンタユニットＰＵの組立てが完了すると、例えばエアコンプレッサを使用してごみ除去作業を行う。これは、例えば図４に示すように、エアコンプレッサのノズルＮＺを空気孔８ｌ，８ｃ，８ｒのいずれかに正対させ、空間ＳＰに空気を吹き込むことで行う。図５は右孔８ｒを吹き込み孔とした例を示している。孔８ｒは空間ＳＰと同一の高さ位置にあるため、ノズルＮＺから発した高圧空気は、何らの部材にぶるかることもなく、勢いを保ったまま空間ＳＰに直接、かつ一直線状に流入する。これは、孔８ｌ，８ｃを吹き込み孔としたときも同様である。
【００２１】
因みに特許文献１，２に記載されたものは、空気孔から上記空間に至るまでに折れ曲がった空気通路が存在し、空気孔から送り込んだ高圧空気は、空気通路の壁にぶつかった後に上記空間に流入する。このため空間に流入する空気の勢いが衰えてしまい、効率よくゴミを排出することができない。
【００２２】
右孔８ｒから吹き込まれた高圧空気は、コンデンサレンズ１３の上面に沿って進み、図５に示すような流れを形成する。すなわち、一部の空気は空間ＳＰの内壁にぶつかりつつその内周面に沿って流れ、空気孔８ｌから外部に流出する。他の一部の空気は、孔８ｒと対向する壁にぶつかった後、孔８ｃから流出する。これにより空間ＳＰ内のゴミ、特にコンデンサレンズ１３の上面や、ペンタプリズム１６の下面、あるいはプリズムボックス８の壁の内面等に付着したゴミが空気とともに外部に排出される。
【００２３】
次に、図６に示すように吹き込み孔を中央孔８ｃに変更する。この場合は、吹き込まれた空気が孔８ｃと対向する壁にぶつかった後、左右に分かれ、各々は壁に沿って流れて左右孔８ｌ，８ｒから流出する。さらに、図７のように吹き込み孔を左孔８ｌに変更すると、空気の流れは図５と対称になる。
【００２４】
このように、吹き込み孔を変更しつつ空気を吹き込む作業を繰り返すことで、空間内のあらゆる箇所に高圧空気が満遍なく流通し、そして排出される。空間ＳＰ内には空気の流路を変えるための部材等は配置されていないため、空気が淀む箇所はなく、空間ＳＰ内の殆どのゴミを効率よく外部に排出することができる。
【００２５】
ゴミ除去作業後、空気孔８ｌ，８ｃ，８ｒを粘着テープ２９（図２）などで塞ぐと、空間ＳＰはほぼ密閉空間となり、カメラがユーザの手に渡ってから空間ＳＰにゴミが侵入することはない。
【００２６】
なお、空間ＳＰが形成される箇所は、コンデンサレンズ１３とペンタプリズム１６の間に限定されない。また、３以上の空気孔８ｌ，８ｃ，８ｒを形成してもよい。
【図面の簡単な説明】
【００２７】
【図１】本発明の一実施形態におけるカメラの側面断面図。
【図２】上記カメラのペンタユニットを示す分解斜視図。
【図３】ペンタユニットをカメラ正面から見た図。
【図４】ゴミ除去作業の方法をカメラ側面から見た断面図。
【図５】右孔を吹き込み孔としたときの空気の流れを示す図。
【図６】中央孔を吹き込み孔としたときの空気の流れを示す図。
【図７】左孔を吹き込み孔としたときの空気の流れを示す図。
【符号の説明】
【００２８】
８  プリズムボックス
８ｌ，８ｃ，８ｒ  空気孔
１３  コンデンサレンズ
１４  スペーサ
１６  ペンタプリズム
ＰＵ  ペンタユニット
ＳＰ  空間
【図１】
2009271180.tif 000003
【図２】
2009271180.tif 000004
【図３】
2009271180.tif 000005
【図４】
2009271180.tif 000006
【図５】
2009271180.tif 000007
【図６】
2009271180.tif 000008
【図７】
2009271180.tif 000009